(57)【要約】【課題】  本発明では、防水効果及び接着性の断熱材を提供する。【解決手段】  セラミックビーズ、フライアッシュ、プラスチックビーズ等の中空ビーズと、バインダーとしてアクリル系樹脂等を混ぜて得られる断熱材を建物等の外壁に塗布することにより、断熱効果、防水効果、遮熱効果を発揮し、また、接着剤としても使用することができる。【選択図】      図１
2006348618.tif 000002
【特許請求の範囲】
【請求項１】
中空ビーズと、アクリル系樹脂とを混合させて構成されることを特徴とする断熱材。
【請求項２】
前記中空ビーズは、セラミックビーズ、フライアッシュ、またはプラスチックビーズであり、
前記アクリル系樹脂は、スチレンアクリル酸アルキルエステル共重合物エマルジョンである
ことを特徴とする請求項１に記載の断熱材。
【請求項３】
請求項１に記載の断熱材を建築物の外壁に塗布する断熱材を防水材として用いる施工方法。
【請求項４】
請求項１に記載の断熱材を建築物の外壁に塗布した後、該塗布した断熱材の上から所定の建築部材を貼り付ける断熱材の接着方法。
【発明の詳細な説明】
【技術分野】
【０００１】
本発明は、防水効果、接着効果を有する断熱材に関する。
【背景技術】
【０００２】
従来、建物の屋根や外壁、内装その他の構造体に断熱材が用いられている（例えば、特許文献１、特許文献２、特許文献３。）。外壁等に断熱材を使用することにより、その外壁の内外間の熱の移動を制限することができる。
【０００３】
図２は、従来における建物の壁の断熱について説明する図である。図２（ａ）は、内断熱の様子を示す。室内側壁面は、内装下地１０であり、その内側に断熱材１５が備え付けてある。屋外側壁面にはコンクリート（ＡＬＣ）１４等が設けられ、そのコンクリート（ＡＬＣ）１４壁面にタイル１２がモルタルまたはタイル用接着剤１１で、貼り付けられている。また、断熱材１５とコンクリート１４の間には、防水シートが設けられている。
【０００４】
図２（ｂ）は、外断熱の様子を示す。この場合には、コンクリート（ＡＬＣ）１４の屋外側に断熱材１５が備え付けてある。さらに、断熱材の屋外側には、アンカー２１によって、タイル下地パネル２０が支持され、そのタイル下地パネル２０にタイル１２がモルタルまたはタイル用接着剤１１で、貼り付けられている。また、断熱材１５とコンクリート１４の間には、防水シートが設けられている。
【特許文献１】特開２００４−２５７９１号公報
【特許文献２】特開２００５−８９５７９号公報
【特許文献３】特開平１１−８０５９９号公報
【発明の開示】
【発明が解決しようとする課題】
【０００５】
上述のように、従来内断熱であろうとも、外断熱であろうとも、防水シート１３、接着剤１１、断熱材１５が必要であり、高コスト、長期の工期、及び環境への高負荷であった。
【０００６】
上記の課題に鑑み、本発明では、簡易かつ低廉な断熱材、及びその塗布方法を提供する。
【課題を解決するための手段】
【０００７】
本発明は、中空ビーズと、アクリル系樹脂とを混合させて構成される。この中空ビーズは、セラミックビーズ、フライアッシュ、またはプラスチックビーズであり、このアクリル系樹脂は、スチレンアクリル酸アルキルエステル共重合物エマルジョンである。
【０００８】
本発明は、さらに、上記の断熱材を建築物の外壁に塗布することにより、断熱効果、防水効果、遮熱効果を発揮することができる。また、本発明は、さらに、上記の記載の断熱材を建築物の外壁に塗布した後、該塗布した断熱材の上から所定の建築部材を貼り付けることにより、接着材としても機能する。
【発明の効果】
【０００９】
本発明の断熱材を用いることにより、簡易かつ低廉に外壁等に防水処理を兼ねた断熱処理を行うことができる。また、接着剤としても機能する。したがって、保温、遮熱、美観、遮音、結露防止、防カビ、クラック補修、準防水等の用途で用いることができる。
【発明を実施するための最良の形態】
【００１０】
本発明は、セラミックビーズ、フライアッシュ（すす、灰など、燃焼廃ガス中に含まれる固体の粒子状物質。集じん灰およびボイラ、ガス冷却室、再燃焼室で補集されたばいじんを総称したものをいう。）、プラスチックビーズ等の中空ビーズと、バインダー（結合材）としてアクリル系樹脂等を混ぜて得られる断熱材である。
【００１１】
この本発明にかかる断熱材は、防水効果と断熱効果が一体になることにより、屋上の防水・断熱を同時に達成することができる。これにより、施工の簡略化が実現され、コストの低減につながり、その結果、地球環境においてＣＯ2の削減につながる。
【００１２】
また、この本発明にかかる断熱材を用いることにより、建物におけるタイル貼・石貼において、断熱効果のある材料と接着剤とが一体である時、タイル・石貼の施工を行うと同時に外断熱の外壁ができる。これにより、施工の簡略化が実現され、コストの低減に繋がり、その結果、地球環境においてＣＯ2の削減につながる。
【００１３】
図１は、本発明にかかる断熱材を外壁に使用した様子を示す。断熱材１は、断熱材であるのと同時に、防水材、接着材でもある、３役を兼ね備えた組成物である。すわなち、コンクリート（ＡＬＣ）１４の外壁側表面に接着材として、本発明にかかる断熱材１を塗布してタイル１２を貼り付けることができる。その結果、外壁側と内壁側との境に断熱材１が存在しているので、断熱効果及び防水効果を発揮する。
【００１４】
したがって、図２で説明した防水シート１３、接着剤１１、断熱材１５をそれぞれ別々に独立して設ける必要がないため、省スペース、低コスト、短工期化を図ることができる。
【実施例１】
【００１５】
＜本発明にかかる断熱材の製造方法＞
表１に示す成分を混合し、均一になるまで攪拌した。このとき、攪拌しやすいように、場合によっては加熱により所定の温度で攪拌してもよい。
【００１６】
【表１】
2006348618.tif 000003
【００１７】
表１において、スチレンアクリルエステル重合体として、スチレンアクリル酸アルキルエステル共重合物エマルジョンを用いた。また、無機化合物として、マイクロセラミックビーズ（株式会社キューマック製）、またはエクスパンセルマイクロフェアー（塩化ビニール化合物）を用いた。エクスパンセルマイクロフェアーは、加熱する温度に応じてその径を例えば約２０〜約５０μｍの範囲で変化させることができる。
【００１８】
このようにして、本発明にかかる断熱材を得ることができる。
【実施例２】
【００１９】
本実施例では、実施例１で製造した断熱材（以下、試料Ｓという）の塗膜について、日射反射率を求めた。その得られた日射反射率を表２に示す。
【００２０】
【表２】
2006348618.tif 000004
【００２１】
これより、０．６ｍｍ厚の試料Ｓの膜で、特に近赤外領域で隠ぺい率試験紙の白地上と黒地上での反射率に差異が認められた。すなわち、黒地上の反射率が低下している。このことは、試料Ｓの０．６ｍｍ膜厚では近赤外領域の光は透過しており、素地の黒地に吸収されていることを意味している。
【実施例３】
【００２２】
本実施例では、試料Ｓの塗膜について、熱伝導率を測定し、遮熱効果の程度を確認する。表３は、試料Ｓの熱伝導率の測定結果を示す。
【００２３】
【表３】
2006348618.tif 000005
【００２４】
「漆喰」の熱伝導率が「０．６」、熱伝導率が「石膏プラスター」が「０．５」、熱伝導率が「石膏ボード」が「０．７１〜０．１」であるのに対し、試料Ｓは表３より「０．１２１（Ｋｃａｌ／ｈ・ｍ・℃）」である。したがって、この試料Ｓの熱伝導率は比較的低い部類の塗装材料と言える。
【実施例４】
【００２５】
亜鉛めっき銅板及びコンクリート板に対する試料Ｓの接着強度を評価した。その結果を表４に示す。
【００２６】
【表４】
2006348618.tif 000006
【００２７】
そうすると、試料Ｓの接着強度は、対鋼板１．７Ｎ／ｍｍ2、対コンクリート１．５Ｎ／ｍｍ2である（ＪＩＳ規格は、０．５Ｎ／ｍｍ2以上である）。このことから、この試料Ｓは、ＪＩＳ規格を十分に満足する接着強度を有する。
【００２８】
＜実施例２，３，４の効果＞
上記実施例１，２より、本発明にかかる断熱材の断熱効果の有効性を確認することができた。また、当該断熱材の熱伝導率は０．１２（Ｋｃａｌ／ｈｍ℃）である（塗膜０．６ｍｍの場合）。それに対して、コンクリートの熱伝導率１．４０、石膏の熱伝導率０．５、保温レンガの熱伝導率０．１２である。
【００２９】
また、当該断熱材の接着強度は、対鋼板１．７Ｎ／ｍｍ2、対コンクリート１．５Ｎ／ｍｍ2である（ＪＩＳ規格は、０．５Ｎ／ｍｍ2以上である）。また、当該断熱材の日光反射卒は９０％以上であり、紫外線を含む太陽光の９０％以上を反射させ、建物など構造物の劣化を防止することができる。
【００３０】
この断熱材は、さらに以下の効果も有している。当該断熱材は優れた弾力性を有するので、より亀裂の出来にくい衝撃、振動に強い壁に仕上がる。また塗膜を劣化させるあらゆる障害に対して驚異的に対抗し、抜群の耐久性を発揮することができる。
【００３１】
また、当該断熱材を壁に０．９ｍｍ厚塗布すると屋根・天井・壁を通過する音が約１０デシベル低下し、静かな環境が確保できる。また、当該断熱材は環境にやさしい水溶性で、シックハウス症候群の原因物質を含まない。また、当該断熱材の塗布膜は３層〜４層（０．６ｍｍ〜０．９ｍｍ）の塗膜形成し、水の侵入を防ぐことができる。
【００３２】
また、コンクリート・鉄・鉄板・木など幅広い塗装適正を持っている。また、刷毛ローラー・吹付け・鏝など幅広い塗装デザインにも対応することができる。また、コンクリートなど幅広い塗装適正の他、カラートタンの塗り替え、油性、アクリル系、ウレタン系等の旧塗膜に対しても優れた密着力を発揮することができる。当該断熱材は、保温、遮熱、美観、遮音、結露防止、防カビ、クラック補修、準防水等の用途で用いることができる。
【００３３】
当該断熱材の施工対象は、たとえば、工場、一般倉庫、保冷倉庫、研究所、学校、集会所、体育館等大きな建物の屋根の外装及び内装であったり、冷凍コンテナ、ドライコンテナ、保冷車、穀物サイロ、冷凍冷蔵倉庫、貯蔵タンク、畜産舎、車両内外装、プラントの配管（ＬＰガス・蒸気）であったり、鉄、コンクリート、発泡コンクリート、木材、瓦、スレート、サイデング、レンガ、タイル、アルミ、ステンレス、ブロック、石膏ボード等であってもよい。また、様々な色の顔料を混ぜることで塗料として用いることもできる。
【図面の簡単な説明】
【００３４】
【図１】本発明にかかる断熱材を外壁に使用した様子を示す。
【図２】従来における建物の壁の断熱を説明する図である。
【符号の説明】
【００３５】
１      断熱材
１０    内装下地
１１    モルタルまたはタイル用接着剤
１２    タイル
１３    防水シート
１４    コンクリート（ＡＬＣ）
１５    断熱材
【図１】
2006348618.tif 000007
【図２】
2006348618.tif 000008